(57)【要約】      （修正有）【課題】使用者の体型に依らずに、簡易な方法で、理想的な臀部の形状や大きさ等に補正してこれを保持することが可能な下着であって、穿き心地が良いだけでなく、使用者の健康を損ねることがない下着を提供する。【解決手段】下着１はショーツ型であり、前身頃１１と、後身頃である臀部収納部１２と、股布と、を備えてなり、臀部収納部１２は、発泡ウレタン樹脂等の弾性体で構成されている。下着１は、使用者の体型や下着の着用経験に依らずに、下着を着用するだけで簡単に理想的な臀部の形状や大きさ等に補正してこれを保持することができる。また、理想的な臀部形状等を保持しつつ、使用者の動きに合わせる等の必要時には変形が可能であって、且つ元の形状に戻ることができる。更に、発泡ウレタン樹脂等の弾性体を用いているので、弾性体に通気性を持たせることができる。【選択図】図３
0003151218.tif 000002
【実用新案登録請求の範囲】
【請求項１】
所定の臀部形状に成形された弾性体で構成される臀部収納部を備えてなる、下着。
【請求項２】
前記弾性体は、ラテックス、アクリル樹脂、ニトリル樹脂、イソプレン樹脂、ウレタン樹脂、エチレンプロピレン樹脂、エピクロルヒドリン樹脂、クロロプレン樹脂、シリコーン樹脂、スチレンブタジエン樹脂、ブタジエン樹脂、フッ素樹脂若しくはポリイソブチレン樹脂又はこれらの混合物からなる、請求項１に記載の下着。
【請求項３】
前記弾性体は、発泡体である、請求項１又は２に記載の下着。
【請求項４】
前記弾性体は、発泡ウレタン樹脂である、請求項１〜３に記載の下着。
【請求項５】
前記臀部収容部に対応する前身頃部が伸縮性を有する、請求項１〜４の何れか１項に記載の下着。
【請求項６】
ショーツ型、ガードル型、スパッツ型、ストッキング型、タイツ型、レギンス型、ボディスーツ型、ウェストニッパー−ショーツ複合型、ウェストニッパー−ガードル複合型、ボディシェイパー−ショーツ複合型、スリーインワン−ショーツ複合型、パンツ−ショーツ複合型又はショートパンツ−ショーツ型である、請求項１〜５の何れか１項に記載の下着。
【考案の詳細な説明】
【技術分野】
【０００１】
本考案は下着に関する。詳しくは、理想的な臀部の形状や大きさ等に補正してこれを保持することが可能な下着に関する。
【背景技術】
【０００２】
人の臀部は骨盤の後方に位置し、大腿部を支える筋肉等が集中しているために盛り上がっており、更に背面が平らであるため、この部分だけが後方に突き出した状態となっている。そのため、加齢等により臀部の形状等が崩れると、全体的なバランスが崩れて見栄えが悪くなる。そこで、伸縮性のある生地で垂れ下がった臀部を釣り上げ、余分な脂肪を臀部の適切な位置に固定して、理想的な形状等に矯正する矯正下着が知られている。
【０００３】
しかしながら、矯正下着は、脂肪が少ない場合にはこの下着を使用することができなかった。また、この下着を着用するためには熟練を要し、簡易に着用できないという問題があった。更に、体形を絞めつけて変形させるので、穿き心地が悪いだけではなく、皮膚表面が擦れたり被れたり、締め付けによる血行不良を起こしたりする場合もあり、使用者の健康被害が問題となっていた。
【考案の開示】
【考案が解決しようとする課題】
【０００４】
本考案は上記従来技術の有する問題点に鑑みなされたものであり、その目的とするところは、使用者の体型に依らずに、簡易な方法で、理想的な臀部の形状や大きさ等に補正してこれを保持することが可能な下着を提供することにある。
【０００５】
また、本考案の他の目的とするところは、穿き心地が良いだけでなく、使用者の健康を損ねることがない下着を提供することにある。
【課題を解決するための手段】
【０００６】
本考案の上記目的は、下記の手段によって達成される。
【０００７】
（１）すなわち、本考案は、所定の臀部形状に成形された弾性体で構成される臀部収納部を備えてなる、下着である。
【０００８】
（２）本発明はまた、前記弾性体は、ラテックス、アクリル樹脂、ニトリル樹脂、イソプレン樹脂、ウレタン樹脂、エチレンプロピレン樹脂、エピクロルヒドリン樹脂、クロロプレン樹脂、シリコーン樹脂、スチレンブタジエン樹脂、ブタジエン樹脂、フッ素樹脂若しくはポリイソブチレン樹脂又はこれらの混合物からなる、（１）に記載の下着である。
【０００９】
（３）本発明はまた、前記弾性体は、発泡体である、（１）又は（２）に記載の下着である。
【００１０】
（４）本発明はまた、前記弾性体は、発泡ウレタン樹脂である、（１）〜（３）に記載の下着である。
【００１１】
（５）本発明はまた、前記臀部収容部に対応する前身頃部が伸縮性を有する、（１）〜（４）の何れか１項に記載の下着である。
【００１２】
（６）本発明はまた、ショーツ型、ガードル型、スパッツ型、ストッキング型、タイツ型、レギンス型、ボディスーツ型、ウェストニッパー−ショーツ複合型、ウェストニッパー−ガードル複合型、ボディシェイパー−ショーツ複合型、スリーインワン−ショーツ複合型、パンツ−ショーツ複合型又はショートパンツ−ショーツ型である、（１）〜（５）の何れか１項に記載の下着である。
【考案の効果】
【００１３】
本考案の下着によれば、所定の臀部形状に成形された弾性体で構成される臀部収納部を備えているので、使用者の体型や下着の着用経験に依らずに、下着を着用するだけで簡単に理想的な臀部の形状や大きさ等に補正してこれを保持することができる。
【００１４】
また、本考案の下着によれば、臀部収納部が弾性体で構成されているので、理想的な臀部形状等を保持しつつ、使用者の動きに合わせる等の必要時には変形が可能であって、且つ元の形状に戻ることができる。特に、弾性体に発泡ウレタン樹脂等を用いることにより、優れた通気性を持たせることができる。
【００１５】
また、本考案の下着によれば、臀部収容部に対応する前身頃部が伸縮性を有しているので、適度な締め付けにより臀部収納部を所定位置で留置することができる。また、締め付けすぎないので心地よい穿き心地を提供するだけでなく、使用者の健康を害することがない。
【００１６】
また、本発明の下着によれば、ショーツ型、ガードル型、スパッツ型、ストッキング型、タイツ型、レギンス型、ボディスーツ型、ウェストニッパー−ショーツ複合型、ウェストニッパー−ガードル複合型、ボディシェイパー−ショーツ複合型、スリーインワン−ショーツ複合型、パンツ−ショーツ複合型、ショートパンツ−ショーツ型等とすることにより、使用者の用途に応じて使い分けることができる。
【００１７】
更に、本発明の下着によれば、従来の矯正下着と比較して簡易な構造とすることができるので、安価に製造することができ、また、上述した通り、使用者の体型に依らずに使用できるので、その体型に変化があっても買い替える必要がなく、使用者の経済的な負担を軽減することができる。
【考案を実施するための最良の形態】
【００１８】
以下、本考案の実施の形態を、図面を参照して詳細に説明する。
【００１９】
図１は、本考案の第１の実施形態にかかる下着１の着用時の形態を示す正面図であり、図２はその背面図であり、図３はその左側面図である。図１〜３に示すように、本実施形態に係る下着１はショーツ型であり、前身頃１１と、後身頃である臀部収納部１２と、股布１３と、を備えてなる。下着１は、前身頃１１と臀部収納部１２との両側面同士がそれぞれ縫製されており、前身頃１１と臀部収納部１２との底面同士が股布１３で繋げられた構成となっている。また、下着１の腰回り部分及び脚ぐり部分は、それぞれ上端縁１４ａ及び下端縁１４ｂで縁取られて縫製されている。
【００２０】
前身頃１１は、臀部が臀部収納部１２に収納された状態を保持するため、伸縮性を有する生地を用いることが好ましく、また、一般的な下着と同様に、身体の汚れから上着を守り、体の保温、快適さ、衛生性を維持することができ、吸汗性と通気性に優れ、且つ穿き心地の良い素材を用いることが好ましい。このような生地としては、例えば、綿ポリウレタン混紡のストレッチ天竺、ストレッチベア天竺、フライス、ツーウェイトリコット、パワーネット、極細繊維糸を用いたマイクロファイバー素材等が挙げられる。
【００２１】
臀部収納部１２は、臀部を理想的な形状や大きさ等に見えるように補正するため、臀部形状に成形されている。即ち、従来の矯正下着は、上述した通り、余分な脂肪を臀部の適切な位置で固定して臀部の形状を保持するものであるのに対し、本考案の下着１は、図４，５に示すように、臀部収納部１２に充填された弾性体１２１（詳細は後述する）が、臀部収納部１２の頂点部から下部の周辺部分にかけては厚くなるように作製され、臀部収納部１２の上部の周辺部分にかけては薄く作製されているので、下着１を着用することにより使用者の臀部の足りない部分を補って理想的な臀部形状等に補正することができる。
【００２２】
臀部収納部１２は、図４，５に示すように、表地１２２ａと、弾性体１２１と、裏地１２２ｂとが積層された構造を有している。
【００２３】
弾性体１２１は、適度な形状保持力を有し、且つ変形が可能な柔軟性を兼ね備えた素材であることが好ましい。このような弾性体１２１としては、例えば、ラテックス、アクリル樹脂、ニトリル樹脂、イソプレン樹脂、ウレタン樹脂、エチレンプロピレン樹脂、エピクロルヒドリン樹脂、クロロプレン樹脂、シリコーン樹脂、スチレンブタジエン樹脂、ブタジエン樹脂、フッ素樹脂、ポリイソブチレン樹脂等や、これらの混合物等が用いられる。特に、通気性を持たせるために、これらの素材の発泡体を用いることが好ましい。
【００２４】
また、表地１２２ａ及び裏地１２２ｂは、一般的な下着と同様に、身体の汚れから上着を守り、体の保温、快適さ、衛生性を維持することができ、吸汗性と通気性に優れ、且つ穿き心地の良い素材を用いることが好ましく、前身頃１１と同様の生地が用いられる他、天竺、ベア天竺、トリコット、サテン、シルク等を利用してもよい。
【００２５】
股布１３は、歩行等の摩擦によって擦り減りやすい下着１の股部分を補強するためのものである。本考案においては、一般的な下着と同様に、身体の汚れから上着を守り、体の保温、快適さ、衛生性を維持することができ、吸汗性と通気性に優れ、且つ穿き心地の良い素材を用いることが好ましく、木綿等の素材が用いられる。
【００２６】
上端縁１４ａ及び下端縁１４ｂは、使用者の動作によって擦り減りやすい下着１の腰回り部分及び脚ぐり部分を補強し、且つ下着１を使用者の身体に固定するため、ナイロン（ポリアミド）、ビニロン（ビナロン、ポリビニルアルコール系繊維）、ポリエチレンテレフタラート等のポリエステル、ポリアクリロニトリル等のアクリル、ポリエチレン、ポリプロピレン等のポリオレフィン、ポリウレタン等の伸縮性素材から構成される。
【００２７】
なお、前身頃１１、臀部収納部１２、股布１３、上端縁１４ａ及び下端縁１４ｂの色や柄等は、用途に応じてそれぞれ適宜選択することができる。また、デザイン性を重視して、フリルやレース等の装飾が施されてもよい。
【００２８】
また、上述した下着１以外のショーツ型としては、マイクロヒップス、サニタリー等の女性用下着に臀部収納部１２を設けたものや、ブリーフ等の男性用下着に臀部収納部１２を設けたもの等が挙げられる。
【００２９】
図６は、本考案の第２の実施形態にかかる下着２の着用時の形態を示す正面図であり、図７はその左側面図である。
【００３０】
図６，７に示すように、下着２はガードル型であり、下着１をひざ丈（５分丈）のガードル形状にしたものである。下着２は、前身頃１１と長さが異なる前身頃２１、股布１３と形状が異なる股布２３及び脚部２５がその構成に加わり、下端縁１４ｂが除かれた以外は下着１と同様のものである。よって、前身頃２１、臀部収納部２２、股布２３及び上端縁２４ａの生地又は素材としては、上記と同様のものを用いることができる。また、脚部２５の生地としては、前身頃１１と同様のものを用いることができる。
【００３１】
なお、上述した下着２以外のガードル型としては、一分丈（ボーイレッグ）や七分丈等のガードルに臀部収納部２２を設けたもの等が挙げられる。
【００３２】
図８は、本考案の第３の実施形態にかかる下着３の着用時の形態を示す正面図であり、図９はその左側面図である。
【００３３】
図８，９に示すように、下着３は、ウェストニッパー及び下着１が一体化したウェストニッパー−ショーツ複合型であり、前身頃１１と長さが異なり、４段４連のホック３１１が付いた前身頃３１、股布１３と形状が異なる股布３３及びウェスト部３６がその構成に加わり、上端縁１４ａが除かれた以外は下着１と同様のものである。よって、前身頃３１、臀部収納部３２、股布３３及び上端縁３４ａの生地又は素材としては、上記と同様のものを用いることができる。また、ホック３１１は、用途に応じて段数やホック数を変更することができる。また、ホック３１１の代替品として、例えば面ファスナーやファスナー等の留め具を用いることができる。更に、ウェスト部３６の生地としては、前身頃１１と同様のものを用いることができる。
【００３４】
なお、上述した下着３以外のウェストニッパー−ショーツ複合型としては、コルセットやビスチェ等と下着１とを一体化したもの等が挙げられる。
【００３５】
図１０は、本考案の第４の実施形態にかかる下着４の着用時の形態を示す正面図であり、図１１はその左側面図である。
【００３６】
図１０，１１に示すように、下着４は、ウェストニッパー及び下着２が一体化したウェストニッパー−ガードル複合型であり、前身頃１１と長さが異なり、４段４連のホック４１１が付いた前身頃４１、股布１３と形状が異なる股布４３、脚部４５及びウェスト部４６がその構成に加わり、上端縁１４ａ及び下端縁１４ｂが除かれた以外は下着１と同様のものである。よって、前身頃４１、臀部収納部４２及び股布４３の生地又は素材としては、上記と同様のものを用いることができる。また、脚部４５及びウェスト部４６の生地としては、前身頃１１と同様のものを用いることができ、ホック４１１としては、ホック３１１と同様のものを用いることができる。
【００３７】
なお、上述した下着４以外のウェストニッパー−ガードル複合型としては、コルセットやビスチェ等と下着２とを一体化したもの等が挙げられる。
【００３８】
本考案の下着は、上記した実施形態に限定されるものではなく、本考案の要旨を逸脱しない範囲内において種々変更を加え得ることは勿論である。例えば、本考案の下着は、上述した実施形態以外にも、一分丈や五分丈或いは七分丈等のスパッツに臀部収納部２２を設けたスパッツ型、パンティストッキングやボディストッキング等に臀部収納部を設けたストッキング型、タイツ等に臀部収納部を設けたタイツ型、カルソン等に臀部収納部を設けたレギンス型、ブラジャー、ウェストニッパー及びショーツが一体化したボディスーツのショーツ部分に臀部収納部を設けたボディスーツ型等、ブラジャー及びウェストニッパーが一体化したボディシェイパーと下着１とが一体化したボディシェイパー−ショーツ複合型、ブラジャー、ウェストニッパー及びガーターが一体化したスリーインワンと下着１とが一体化したスリーインワン−ショーツ複合型、スラックス、ジーンズ、チノ・パンツ、トレーニングパンツ、サブリナパンツ、ニッカポッカ等に下着１が収納されて一体化したパンツ−ショーツ複合型、ハーフパンツ、半ズボン、ホットパンツ等に下着１が収納されて一体化したショートパンツ−ショーツ型等であってもよい。
【産業上の利用可能性】
【００３９】
本考案の下着は、使用者の体型や下着の着用経験に依らずに、下着を着用するだけで簡単に理想的な臀部の形状や大きさ等に補正してこれを保持することができるので、ショーツ型、ガードル型、スパッツ型、ストッキング型、タイツ型、レギンス型、ボディスーツ型、ウェストニッパー−ショーツ複合型、ウェストニッパー−ガードル複合型、ボディシェイパー−ショーツ複合型、スリーインワン−ショーツ複合型、パンツ−ショーツ複合型、ショートパンツ−ショーツ型等の下着として利用した場合極めて有用である。
【図面の簡単な説明】
【００４０】
【図１】本考案の第１の実施形態にかかる下着１の着用時の形態を示す正面図である。
【図２】本考案の第１の実施形態にかかる下着１の着用時の形態を示す背面図である。
【図３】本考案の第１の実施形態にかかる下着１の着用時の形態を示す左側面図である。
【図４】本考案の第１の実施形態にかかる下着１の着用時の形態を示すＡ−Ａ断面の端面図である。
【図５】本考案の第１の実施形態にかかる下着１の着用時の形態を示すＢ−Ｂ断面の端面図である。
【図６】本考案の第２の実施形態にかかる下着２の着用時の形態を示す正面図である。
【図７】本考案の第２の実施形態にかかる下着２の着用時の形態を示す左側面図である。
【図８】本考案の第３の実施形態にかかる下着３の着用時の形態を示す正面図である。
【図９】本考案の第３の実施形態にかかる下着３の着用時の形態を示す左側面図である。
【図１０】本考案の第４の実施形態にかかる下着４の着用時の形態を示す正面図である。
【図１１】本考案の第４の実施形態にかかる下着４の着用時の形態を示す左側面図である。
【符号の説明】
【００４１】
１〜４・・・下着
１１，２１，３１，４１・・・前身頃
３１１，４１１・・・ホック
１２，２２，３２，４２・・・臀部収納部
１２１，２２１，３２１，４２１・・・弾性体
１２２ａ・・・表地
１２２ｂ・・・裏地
１３，２３，３３，４３・・・股布
１４ａ，２４ａ，３４ａ・・・上端縁
１４ｂ・・・下端縁
２５，４５・・・脚部
３６，４６・・・ウェスト部
【図１】
0003151218.tif 000003
【図２】
0003151218.tif 000004
【図３】
0003151218.tif 000005
【図４】
0003151218.tif 000006
【図５】
0003151218.tif 000007
【図６】
0003151218.tif 000008
【図７】
0003151218.tif 000009
【図８】
0003151218.tif 000010
【図９】
0003151218.tif 000011
【図１０】
0003151218.tif 000012
【図１１】
0003151218.tif 000013
【手続補正書】
【提出日】平成21年4月6日(2009.4.6)
【手続補正１】
【補正対象書類名】実用新案登録請求の範囲
【補正対象項目名】全文
【補正方法】変更
【補正の内容】
【実用新案登録請求の範囲】
【請求項１】
所定の臀部形状に成形された弾性体で構成される臀部収納部を備えてなる、下着。
【請求項２】
前記弾性体は、ラテックス、アクリル樹脂、ニトリル樹脂、イソプレン樹脂、ウレタン樹脂、エチレンプロピレン樹脂、エピクロルヒドリン樹脂、クロロプレン樹脂、シリコーン樹脂、スチレンブタジエン樹脂、ブタジエン樹脂、フッ素樹脂若しくはポリイソブチレン樹脂又はこれらの混合物からなる、請求項１に記載の下着。
【請求項３】
前記弾性体は、発泡体である、請求項１又は２に記載の下着。
【請求項４】
前記弾性体は、発泡ウレタン樹脂である、請求項１〜３の何れか１項に記載の下着。
【請求項５】
前記臀部収容部に対応する前身頃部が伸縮性を有する、請求項１〜４の何れか１項に記載の下着。
【請求項６】
ショーツ型、ガードル型、スパッツ型、ストッキング型、タイツ型、レギンス型、ボディスーツ型、ウェストニッパー−ショーツ複合型、ウェストニッパー−ガードル複合型、ボディシェイパー−ショーツ複合型、スリーインワン−ショーツ複合型、パンツ−ショーツ複合型又はショートパンツ−ショーツ型である、請求項１〜５の何れか１項に記載の下着。
【手続補正２】
【補正対象書類名】明細書
【補正対象項目名】００２８
【補正方法】変更
【補正の内容】
【００２８】
また、上述した下着１以外のショーツ型としては、マイクロヒップス（登録商標）、サニタリー等の女性用下着に臀部収納部１２を設けたものや、ブリーフ等の男性用下着に臀部収納部１２を設けたもの等が挙げられる。